(57)【要約】【課題】  部品点数および組立工数を増やすことなく樹脂製フレームの高剛性化を図った画像読取装置の提供。【解決手段】  原稿を載置するためのプラテンと、副走査方向に移動しながら前記プラテン上に載置された原稿の読み取りを行う読取ユニットと、前記読取ユニットを収容する樹脂製箱状のフレームと、前記フレーム底板上面に固定され前記フレームを補強するとともに、前記読取ユニットを副走査方向に案内する金属製の補強部材と、前記フレーム底板下面に支持された制御基盤と、前記制御基板から発生する電気的ノイズを遮蔽するための金属製の遮蔽部材と、を備え、前記遮蔽部材は、前記フレーム底板下面の前記補強部材と上下方向において重なる位置に固定され、前記フレームを補強することを特徴とする画像読取装置。【選択図】  図４
2006184823.tif 000002
【特許請求の範囲】
【請求項１】
原稿を載置するためのプラテンと、
副走査方向に移動しながら前記プラテン上に載置された原稿の読み取りを行なう読取ユニットと、
前記読取ユニットを収容する樹脂材料で形成された箱状のフレームと、
前記フレーム底板上面に固定され前記フレームを補強するとともに、前記読取ユニットを副走査方向に案内支持する金属製の補強部材と、
前記フレーム底板下面に支持された制御基板と、
前記制御基板から発生する電気的ノイズを遮蔽するための金属製の遮蔽部材と、を備え、
前記遮蔽部材は、前記フレーム底板下面の前記補強部材と上下方向において重なる位置に固定され、前記フレームを補強することを特徴とする画像読取装置。
【請求項２】
前記遮蔽部材は箱状で前記制御基板を収容していることを特徴とする請求項１に記載の画像読取装置。
【請求項３】
前記補強部材は接触部を有し、この接触部を前記遮蔽部材に接触させることで前記補強部材は接地されることを特徴とする請求項１に記載の画像読取装置。
【請求項４】
原稿を載置するためのプラテンと、
副走査方向に移動しながら前記プラテン上に載置された原稿の読み取りを行なう読取ユニットと、
前記読取ユニットを収容する樹脂材料で形成された箱状のフレームと、
前記フレーム底板上面に固定され前記フレームを補強するとともに、前記読取ユニットを副走査方向に案内支持する金属製の第１補強部材と、
前記フレーム底板上面に固定され前記フレームを補強するとともに、前記読取ユニットに駆動源からの駆動を伝達するための駆動伝達手段が固定された第２補強部材と、
前記フレームの外側底面上に支持された制御基板と、
前記制御基板から発生する電気的ノイズを遮蔽するための金属製の遮蔽部材と、を備え、
前記遮蔽部材は前記フレーム底板下面の前記第1補強部材または前記第２補強部材の少なくともいずれか一方と上下方向において重なる位置に固定され、前記フレームを補強することを特徴とする画像読取装置。
【請求項５】
原稿を所定の読取位置に搬送する原稿搬送装置と、
この原稿搬送装置を前記プラテンに対し開閉可能に支持し、前記フレームに副走査方向に沿って離れて固定された複数のヒンジ部材とをさらに備え、
前記遮蔽部材は少なくとも、前記複数のヒンジ部材とより近い位置に固定された前記第１補強部材と前記第２補強部材のいずれか一方と上下方向において重なる位置に固定されていることを特徴とする請求項４に記載の画像読取装置。
【請求項６】
前記遮蔽部材は箱状で前記制御基板を収容することを特徴とする請求項４に記載の画像読取装置。
【請求項７】
前記駆動伝達手段は、前記読取ユニットに係合して前記読取ユニットに前記駆動源の駆動を伝達する無端ベルトと、前記無端ベルトが掛け渡された一対のプーリとを有することを特徴とする請求項４に記載の画像読取装置。
【請求項８】
前記フレームの底板は内側に突出した凹形状部を備え、前記制御基板は前記凹形状部内の底板下面に前記遮蔽部材を介して支持されていることを特徴とする請求４に記載の画像読取装置。
【請求項９】
前記遮蔽部材は、前記フレームの底板下面上に形成された複数のリブを介して前記底板底面に固定されていることを特徴とする請求項４に記載の画像読取装置。
【発明の詳細な説明】
【技術分野】
【０００１】
本発明は、例えば複写機やスキャナ装置等に用いられる画像読取装置に関する。
【背景技術】
【０００２】
一般の画像読取装置は、箱状のケーシング内にＣＣＤなどのイメージセンサを搭載した画像読取ユニットを備え、この画像読取ユニットを副走査方向に移動させてプラテン上に載置された原稿の読み取りを行っている。
また、近年、装置の軽量化および部品点数を減少させるために、ケーシングを樹脂で形成しているが、良好な画像を取得するために、このケーシングは高剛性が必要とされている。
【０００３】
従来、樹脂製ケーシングの高剛性化を図った画像読取装置としては、例えば特開２００４―２６６５９３号公報や特開２００３―２４４３６４号公報に公開されたようなものも知られている。
【０００４】
【特許文献１】特開２００４―２６６５９３号公報
【特許文献２】特開２００３―２４４３６４号公報
【発明の開示】
【発明が解決しようとする課題】
【０００５】
特許文献１の画像読取装置では、樹脂製のケーシングの内側底面に第１、第２補強プレートを取り付け、第１補強プレートはガイドレールとして、第２補強プレートは駆動伝達手段の固定部材としてそれぞれ他の機能を持たせることで、部品点数を増加させることなくケーシングの高剛性化を図っている。しかし、これではケーシングの補強が十分でなく、良好な画像を取得できない問題があった。
例えば、ヒンジによって開閉可能に取り付けられた原稿搬送装置を画像読取装置が有している場合、一般に原稿搬送装置は２個のヒンジを用いて画像読取装置のフレームに支持されるが、各ヒンジにかかる重量は均等ではない。そのため、ヒンジが固定されている画像読取装置フレーム部分にも不均一な力がかかり、それによってフレームにねじれの力が生じてしまう。このとき、各補強プレートによる補強が十分でないとフレームが変形してしまい、良好な画像が取得できないといった問題があった。
【０００６】
また、特許文献２の画像読取装置では、筐体フレームの外側底面に角パイプ状の補強部を配置することでフレームの高剛性化を図っている。しかし、この補強部は筐体フレームを構成する側板の一部を曲げ加工によって形成しているが、型の都合上これと同様な構造を樹脂製フレームに採用することは困難である。また、補強部を側板と別部材で構成した場合、補強部材を底板に固定する必要があり部品点数および組立工数が増えてしまう。
【０００７】
本発明は上記事案に鑑み、樹脂製フレームを用いた画像読取装置において、部品点数および組立工数を増加させることなくフレームの高剛性化を図った画像読取装置を提供することを課題としている。
【課題を解決するための手段】
【０００８】
上記課題を解決するために、本願発明の請求項１に係る画像読取装置は、原稿を載置するためのプラテンと、副走査方向に移動しながら前記プラテン上に載置された原稿の読み取りを行なう読取ユニットと、前記読取ユニットを収容する樹脂材料で形成された箱状のフレームと、前記フレーム底板上面に固定され前記フレームを補強するとともに、前記読取ユニットを副走査方向に案内支持する金属製の補強部材と、前記フレーム底板下面に支持された制御基板と、前記制御基板から発生する電気的ノイズを遮蔽するための金属製の遮蔽部材と、を備え、前記遮蔽部材は、前記フレーム底板下面の前記補強部材と上下方向において重なる位置に固定され、前記フレームを補強することを特徴としている。
【０００９】
このように、金属製の遮蔽部材を、フレームの外側底面上の補強部材と上下方向において重なる位置に固定することで、フレーム底板の表裏の両面から補強してフレームの高剛性化を図ったものである。さらに、遮蔽部材を補強部材として使用することで、部品点数および組立工数を増加させることなくフレームの高剛性化を図ったものである。
【００１０】
また、本願発明の請求項４に係る画像読取装置は、原稿を載置するためのプラテンと、
副走査方向に移動しながら前記プラテン上に載置された原稿の読み取りを行なう読取ユニットと、前記読取ユニットを収容する樹脂材料で形成された箱状のフレームと、前記フレーム底板上面に固定され前記フレームを補強するとともに、前記読取ユニットを副走査方向に案内支持する金属製の第１補強部材と、前記フレーム底板上面に固定され前記フレームを補強するとともに、前記読取ユニットに駆動源からの駆動を伝達するための駆動伝達手段が固定された第２補強部材と、前記フレームの外側底面上に支持された制御基板と、前記制御基板から発生する電気的ノイズを遮蔽するための金属製の遮蔽部材と、を備え、前記遮蔽部材は前記フレーム底板下面の前記第1補強部材または前記第２補強部材の少なくともいずれか一方と上下方向において重なる位置に固定され、前記フレームを補強することを特徴としている。
【００１１】
このように、金属製の遮蔽部材をフレームの外側底面上の、第１補強部材と第２補強部材のいずれか一方と上下方向において重なる位置に固定することで、フレーム底板の表裏の両面から補強してフレームの高剛性化を図ったものである。さらに、遮蔽部材を補強部材として使用することで、部品点数および組立工数を増加させることなくフレームの高剛性化を図ったものである。
【００１２】
さらに、請求項４に係る画像読取装置においては、原稿を所定の読取位置に搬送する原稿搬送装置と、この原稿搬送装置を前記プラテンに対し開閉可能に支持し、前記フレームに副走査方向に沿って離れて固定された複数のヒンジ部材とをさらに備え、前記遮蔽部材は少なくとも、前記複数のヒンジ部材とより近い位置に固定された前記第１補強部材と前記第２補強部材のいずれか一方と上下方向において重なる位置に固定することも可能である。
このように、ヒンジ支持部とより近い位置に固定された第１補強部材と第２補強部材のいずれか一方と上下方向において重なる位置に遮蔽部材を固定して原稿搬送装置の重さによる影響を受けやすいフレームの剛性を向上させることで、フレームの変形をより効果的に防止することができるものである。
【発明の効果】
【００１３】
本発明によれば、フレームの内側底面に固定された金属製の補強部材と、上下方向において重なる位置のフレーム外側底面に前記制御基板から発生する電気的ノイズを遮蔽するための金属製の遮蔽部材を固定することで、または、フレームの内側底面に固定された第１補強部材と第２補強部材のいずれか一方と、上下方向において重なる位置のフレーム外側底面に前記制御基板から発生する電気的ノイズを遮蔽するための金属製の遮蔽部材を固定することで、部品点数および組立工数を増加させることなくフレームの剛性を向上させることができる、という効果を得ることができる。
【発明を実施するための最良の形態】
【００１４】
以下図面を参照して、本発明を、スキャナ装置に適用した実施の形態について説明する。図１は画像読取装置１の断面図である。
【００１５】
画像読取装置１は、画像読取装置１の上面に対し開閉可能に支持され所定の読取位置に原稿を搬送する原稿搬送装置３を備えており、パーソナルコンピュータ、ネットワーク、またはプリンタと接続されて使用される。
【００１６】
画像読取装置１は、ガラスなどの透光性部材で構成された原稿を載置するためのプラテン２００、このプラテン２００が支持され樹脂で形成された箱状のフレーム２０１、このフレーム２０１に収容されプラテン上に載置された原稿の読み取りを行なう読取ユニット２０２とを有している。フレーム２０１は、上フレーム２０１ａと下フレーム２０１ｂとの上下二つに分割され、上フレーム２０１ａはその上面に開口部が形成され、この開口部を覆うようにネジなどを用いてプラテン２００が取り付けられている。
【００１７】
フレーム２０１は装置の軽量化を図るため合成樹脂材料で構成され、本実施例では、アクリルブタジエンスチレン（ＡＢＳ）とポリカーボネート（ＰＣ）を混合した合成樹脂が用いられている。なお、合成樹脂材料としては特にこれに限ったものではなく、画像読取装置のフレーム材として一般に使用されているものであればよい。読取ユニット２０２は、原稿に光を照射するためのキセノンランプ等で構成される棒状光源２０３、原稿からの反射光を反射する複数のミラー２０４、原稿からの反射光を集光させるためのレンズ２０５、このレンズ２０５で集光された光を電気信号に変換する複数の光電変換素子が線状に配列された読取センサ２０６、これらの部材を収容する樹脂製キャリッジ２０７と、を備えている。
【００１８】
原稿搬送装置（以下、ＡＤＦという。）３は、複数の原稿を載置するための給紙トレイ１１と、給紙トレイ１１に載置された原稿をプラテン２００上の所定の読取位置Ｘに搬送する搬送部３７と、給紙トレイ１１の下方に配置され読み取られた原稿を収容する排紙トレイ１２とを有している。搬送部３７は、給紙トレイ１１上に載置された原稿を繰出すピックアップローラ３０と、ピックアップローラ３０により繰出された原稿を一枚に分離し給送する給紙ローラ３１と、給送された原稿の搬送及び排出を行う搬送ローラ３２、３３、３４及び３６とを有しており、各ローラはギヤやプーリなどの公知の駆動伝達機構を介してモータの駆動により回転可能となっている。
【００１９】
このような構成の画像読取装置１は、プラテン２００上に載置され静止状態の原稿の読み取りを行なうプラテンモードと、原稿搬送装置３で搬送される原稿の読み取りを行なうＡＤＦモードの二つの読取モードを有している。プラテンモードの場合は、原稿つきあて位置Ｙから原稿長さに応じた距離だけ、読取ユニット２０２をガイドシャフト２０８に沿って副走査方向に移動させながら読取センサ２０６で電気的に走査して画像信号を取得し、ＡＤＦモードの場合は、読取ユニット２０２を所定の読取位置Ｘに静止させ、搬送部３７により読取位置Ｘを移動している原稿を読取センサ２０６で電気的に走査して画像信号を取得する。そして、読取センサ２０６から出力された画像信号は一般のフレキシブルケーブルなどを介して制御基板（後述）に送られる。
【００２０】
なお、本実施例では、読取ユニットは、光源、ミラー、レンズおよび読取センサを収容して一体のユニットとしたが、フルレートキャリッジとハーフレートキャリッジとを用いて副走査を行なう、いわゆるミラー移動タイプでも構わない。
【００２１】
図２は、ＡＤＦ３の取り付け状態を示す斜視図である。図２に示すようにＡＤＦ３は、図中矢印Ａで示す副走査方向に沿って所定距離離間させて取り付けられたヒンジ部材３００（３００ａ、３００ｂ）を備えており、各ヒンジ部材３００ａ、３００ｂは、ＡＤＦ３のフレームに副走査方向に沿って所定距離離間してネジなどで固定されている。ＡＤＦ３をフレーム２０１で支持するために、各ヒンジ部材３００（３００ａ、３００ｂ）はそれぞれ軸部材３０１（３０１ａ、３０１ｂ）を備えている。
【００２２】
上フレーム２０１ａの主走査方向（図中矢印Ｂ方向）における一方端側（図中奥側）には、軸部材３０１ａ、３０１ｂがそれぞれ挿入される挿入部３０２（３０２ａ、３０２ｂ）が形成されている。挿入部３０２（３０２ａ、３０２ｂ）は、断面形状が長方形をした筒状のもので、上フレーム２０１ａと一体形成されており、その上面および下面は開口となっている。下フレーム２０１ｂには挿入部３０２（３０２ａ、３０２ｂ）の各先端部が挿入支持される支持部３０３（３０３ａ、３０３ｂ）が下フレーム２０１ｂと一体で形成されている。この支持部３０３も、上面が開口となった断面形状長方形の筒状のものである。そして、上フレーム２０１ａを下フレーム２０１ｂにかぶせて固定すると、図２に示すように挿入部３０２（３０２ａ、３０２ｂ）の先端部は支持部３０３（３０３ａ、３０３ｂ）に挿入されて係合するようになっている。そして、ヒンジ部材３００の軸部材３０１（３０１ａ、３０１ｂ）を挿入部３０２（３０２ａ、３０２ｂ）に挿入することで、ＡＤＦ３が下フレーム２０１ａと上フレーム２０１ｂに支持されることとなる。
【００２３】
このようにＡＤＦ３は、直接的には上フレーム２０１ａに支持されるが、挿入部３０２の先端部が下フレーム２０１ｂの支持部３０３に支持されることで、下フレーム２０１ａにもＡＤＦ３の荷重がかかる。また、ＡＤＦ３は、上下フレーム（２０１ａ、２０１ｂ）に主走査方向の一方側（図２中奥側）の副走査方向に沿って支持されるので、ＡＤＦ３が支持されている側のフレームはより高い剛性が必要となる。さらに、図１に示すように、ＡＤＦ３は、ローラやガイド部材などの構成部材が副走査方向の一方がわ（矢印Ａ方向左側）に偏って取り付けられているため、各フレーム（２０１ａ、２０１ｂ）にかかる荷重は副走査方向においても均等ではない。そのため、各フレーム（２０１ａ、２０１ｂ）にはねじりの力が発生してしまう。よって、各フレーム（２０１ａ、２０１ｂ）、特に原稿搬送装置３が支持されている側のフレームは、このねじりの力にも耐えうる十分な剛性が必要となってくる。
【００２４】
図３は下フレーム２０１ｂの内部を示す斜視図である。図４は、後述するガイドレール等の取り付け方法を示す分解斜視図である。図３に示すように、下フレーム２０１ｂ内部には、上述した読取ユニット２０２、読取ユニット２０２の軸受部と係合し、下フレーム２０１ｂの側壁にその両端がそれぞれ固定された図中矢印Ａで示す副走査方向に延びるガイドシャフト２０８、支持部３０３ａと３０３ｂとの間の下フレーム２０１ｂ内側底面上に固定された電源ユニット４０８が収容されている。さらに、下フレーム２０１ｂの底板２０９の上面（内側底面）上には、読取ユニット２０２の底部に取り付けられた摺動部材（不図示）と当接して読取ユニット２０２を支持するとともに、副走査方向に案内するガイドレール４００（第１補強部材）、読取ユニット２０２を副走査方向に移動させるための駆動系が固定される駆動支持部材５０２（第2補強部材）が固定されている。
【００２５】
ガイドレール４００は、一般の鋼または低合金鋼等の金属材料の略矩形状の板材で構成され、その長手方向が図中矢印Ａで示す副走査方向に沿うように下フレーム２０１上に固定されている。また、このガイドレール自体の剛性を向上させるため、その副走査方向に沿った両端部を屈曲させている。
【００２６】
図４に示すようにガイドレール４００は、下フレーム２０１ｂの底板２０９の上面には主・副走査方向に形成された複数のリブ４０１がフレームと一体で形成されており、このリブ４０１上にネジ４０５を用いて固定される。したがって、ガイドレール４００は、リブ４０１と線接触した状態で下フレーム２０１ｂ内側底面上に固定されることとなる。このように下フレーム２０１ｂの底板２０９上に金属製のガイドレール４００を固定することで、下フレーム２０１ｂの補強（高剛性化）が行なわれているのである。
【００２７】
また、ガイドレール４００裏面には、下方に延びる金属製の接触部材４０６がネジなどで固定されており、ガイドレール４００が下フレーム２０１ｂの底板２０９上に固定されると、下フレーム２０１ｂに形成された開口４０７を通って裏側に突出する。そして、この接触部材４０６が下カバー８００（後述）と接触することでガイドレール４００は接地されるが、詳細は後述する。
【００２８】
さらに、下フレーム２０１ｂの底板２０９上面には、駆動支持部材（第２補強部材）５０２が固定されている。この駆動支持部材５０２には、読取ユニット２０２を副走査方向に移動させるためのモータ５００、このモータ５００からの駆動源を読取ユニット２０２に伝達するための駆動伝達手段５０１（図５参照）、および読取ユニット２０２の光源２０３を点灯させるためのインバータ５０４が固定されている。この駆動支持部材５０２も、上述したガイドレール４００と同様に一般の鋼または低合金鋼等の金属材料で構成され、その長手方向は副走査方向（図中矢印Ａ）に沿っている。そして、下フレーム２０１ｂの底板２０９上面に形成された主・副走査方向に延びる複数のリブ５０３上に固定され、ガイドレール４００と同様に、下フレーム２０１ｂの補強（高剛性化）が行なわれているのである。
【００２９】
また、図５に示すように駆動伝達手段５０１は、モータ５００の回転軸と同軸に取り付けられたプーリ５０５、プーリ５０６、５０７、５０８、５０９、５１０と、プーリ５０５とプーリ５０６に掛け渡されたタイミングベルト５１１、プーリ５０７とプーリ５０８との間に掛け渡されたタイミングベルト５１２、プーリ５０９とプーリ５１０との間に掛け渡され、読取ユニット２０２のキャリッジ２０７に形成されたベルト係合部と係合するタイミングベルト５１３とで構成されている。そして、モータ５００の駆動がプーリ５０５〜５０９、およびタイミングベルト５１１、５１２を介してタイミングベルト５１３に伝達され、タイミングベルト５１３が回転することにより読取ユニット２０２は副走査方向に移動するようになっている。このように、駆動伝達手段（特に、読取ユニット２０２が係合するタイミングベルト５１３が掛け渡される二つのプーリ５０９、５１０）が熱膨張係数の小さい金属製支持部材（駆動系支持部材５０２）に取り付けられることで、温度変化によるプーリ間の距離および各タイミングベルトのテンションの変化が小さくなり、読取ユニット２０２をより安定して走行させることが可能となる。
【００３０】
また、図４に示すように、下フレーム２０１ｂの底板２０９の裏面（裏側底面）には、上カバー７５０、下カバー８００で構成される箱状の金属製遮蔽部材７００が固定され、さらにこの金属製遮蔽部材７００内には制御基板６００が収容固定されている。この制御基板６００は画像読取装置１全体の制御を行なうための制御回路や、フラットケーブル（不図示）などを介して入力された画像読取ユニット２０２からの画像データに種々の画像処理等を施すための画像処理回路などを備えている。そして、金属製遮蔽部材７００で制御基板６００を包囲することで、制御基板６００から発生する電気的ノイズによる外部装置への影響、外部機器などからの画像データへのノイズの影響を防止している。
【００３１】
次に、遮蔽部材７００および制御基板６００の取り付け方法を図６を用いて説明する。図６は、上下反転させた状態の下フレーム２０１ｂの分解斜視図で、下フレーム２０１ｂの裏面に遮蔽部材７００が取り付けられる状態を示している。
【００３２】
図６に示すように、下フレーム２０１ｂの底板２０９の中央部には凹部２１０（下フレーム２０１ｂの内側から見ると凸部。図７も参照）が形成され、この凹部２１０には、上面が開口となった箱状の上カバー７５０が固定される。なお、本実施例では上カバー７５０は、底板２０９上に形成されたリブに形成された複数のネジ穴７０１に複数のネジ７０２を用いて固定されているが、この方法に限らず、例えば底板に直接ネジなどを用いて固定しても構わない。
【００３３】
上カバー７５０上の面上には複数の固定部（不図示）が形成され、この固定部を介して制御基板６００がネジを用いて上カバー７００に固定される。（図６では上カバー７５０上に制御基板６００が固定された状態が示されている）このように、制御基板６００は、下フレーム２０１ｂの外側の凹部２０１内に、遮蔽部材（上フレーム７５０）を介して取り付けられている。よって、例えば、制御基板６００または、制御基板６００上の電子部品の交換などのメンテナンスのとき、上カバー２０１ａを取り外すことなく制御基板６００にアクセスすることが可能となり、メンテナンスに伴う装置内へのゴミの侵入を防止することが可能となっている。
【００３４】
また、制御基板６００の側方の底板２０９上には、ＰＣカードスロットなどを有する拡張ボード６０１も固定されている。
【００３５】
下カバー８００は、それぞれ金属製のプレート部材で形成された第1下カバー８００ａ、第２下カバー８００ｂで構成される。第１下カバー８００ａは、上カバー７５０の開口を覆うように、ネジを用いて底板２０９上に固定される。したがって、上カバー７５０に固定される制御基板６００は、金属製の上カバー７５０および下カバー８００で囲まれることとなり、制御基板６００から発生する電磁波が遮蔽され、外部装置へ与える電磁波の影響を大幅に低減させることができる。
【００３６】
また、第２下カバー８００ｂは、拡張ボード６０１を覆うように、底板２０９上に形成されたリブに形成された複数のネジ穴７０１に複数のネジを用いて固定されている。本実施例のように、第２下カバー８００ｂで下面を覆うだけでも拡張ボード６０１から発生する電磁波による外部機器への影響は低減させることができるが、拡張ボード６０１が固定されている領域まで上カバー７５０を延長して、制御基板６００と同様に、上カバー７５０と第２下カバー８００ｂとで拡張ボード６０１を囲むようにすると、外部機器への影響をより一層低減させることができる。
【００３７】
また、上述したように、ガイドレール４００の接触部材４０６が下フレーム２０１ｂの裏側まで突出しているが、この接触部材４０６の先端部が、下カバー８００（第１下カバー８００ａ、第２下カバー８００ｂ）とリブ７０２との間に挟まれて、ネジ７０３でリブ７０２上に下カバー８００（第１下カバー８００ａ、第２下カバー８００ｂ）とともに固定されている。このように、下カバー８００を固定することで、ガイドレール４００の接地を行なうことが可能となり、部品点数および組立工数を低減させることができる。
【００３８】
次に、図７を用いて各補強部材の上下方向の位置関係の説明を行なう。図７は、図３のＴ−Ｔの断面図である。ガイドレール４００は下フレーム２０１ｂの底板２０９上面に固定され、このガイドレール４００と上下方向において重なる位置の底板２０９下面（裏面）には、下カバー８００が固定されている。このように、樹脂製の下フレーム２０１ｂの底板２０９をガイドレール４００と下カバー８００とで挟むことで、部品点数および組立工数を増加させることなくフレームの剛性を増加させることが可能となる。
【００３９】
また、図３からも分かるように、下フレーム２０１ｂの底板２０９の内側底面上に固定された補強部材としてはガイドレール４００と駆動系支持部材５０２の二つがあり、これらは主走査方向に離れて底板２０９上に固定されているが、ＡＤＦ３のヒンジが支持される支持部材３０３により近いほうのガイドレール４００と上下方向において重なるように、底板２０９の外側底面上に下カバー８００が固定されている。このように本実施例では、ＡＤＦ３の荷重の影響を受けやすい、ヒンジ支持部３０３により近い位置の下フレーム２０１ｂをより強固に補強することで、より効率よく剛性を向上させることが可能となったものであるが、必要に応じて、駆動系支持部材５０２と下カバー８００とを上下方向において重なるようにそれぞれを固定しても構わない。
【００４０】
なお、遮蔽部材（上カバー７５０、または下カバー８００）がガイドレール４００と駆動支持部材５０２の両方と重なるようにしても構わず、この場合はよりフレーム２０１の剛性を向上させることが可能となる。
なお、本願の第1補強部材のガイドレール４００、第2補強部材の駆動系支持部材５０２、および遮蔽部材の上フレーム、下フレームは、それぞれ樹脂フレームに一体で形成されたリブ上に固定されているが、リブを形成せず直接底面上に固定するようにしても構わない。しかし、本願のように、リブを介して各補強部材を固定することで、各補強部材がリブとリブを繋ぐことにより、より剛性を増加させることとなる。
【図面の簡単な説明】
【００４１】
【図１】画像読取装置全体を示す断面図
【図２】原稿搬送装置の取り付け状態を示す斜視図
【図３】下フレームの内部を示す斜視図
【図４】各部材が下フレームに取り付けられる状態を示す分解斜視図
【図５】駆動支持部材（第２補強部材）の詳細を示す斜視図
【図６】遮蔽部材および制御基板の取り付け状態を示す分解斜視図
【図７】補強部材の取り付け状態を示す断面図
【符号の説明】
【００４２】
１        画像読取装置
２００    プラテン
２０１ａ  上フレーム
２０１ｂ  下フレーム
２０２    読取ユニット
３００    ヒンジ部材
４００    ガイドレール（第1補強部材）
５０２    駆動系支持部材（第2補強部材）
６００    制御基板
７００    遮蔽部材
【図１】
2006184823.tif 000003
【図２】
2006184823.tif 000004
【図３】
2006184823.tif 000005
【図４】
2006184823.tif 000006
【図５】
2006184823.tif 000007
【図６】
2006184823.tif 000008
【図７】
2006184823.tif 000009